(57)【要約】【課題】各種光ディスク固有のオーバーライト特性を考慮した上で、必要十分なオーバーライト回数を確保できるεを設定する光ディスク装置及びその動作方法を提供することを課題とする。【解決手段】オーバーライト回数を取得する回数取得部と、オーバーライト回数に応じて記録パワーと消去パワーとの比であるεを定めたεテーブルを保持するεテーブル保持部と、回数取得部により取得されたオーバーライト回数をキーとしてεテーブルからεを取得し、取得したεを利用して消去パワーを決定する消去パワー決定部と、を有する光ディスク装置を提供する。【選択図】    図１
2008243343.tif 000002
【特許請求の範囲】
【請求項１】
オーバーライト回数を取得する回数取得部と、
オーバーライト回数に応じて記録パワーと消去パワーとの比であるεを定めたεテーブルを保持するεテーブル保持部と、
回数取得部により取得されたオーバーライト回数をキーとしてεテーブルからεを取得し、取得したεを利用して消去パワーを決定する消去パワー決定部と、
を有する光ディスク装置。
【請求項２】
εテーブル保持部は、
光ディスクの種別毎にεテーブルを保持するεテーブル種別毎保持手段
を有する請求項１に記載の光ディスク装置。
【請求項３】
εテーブル保持部が保持しているεテーブルは、
異なるεの値に応じて得られるオーバーライト回数対ジッタグラフの交点に対応するオーバーライト回数を境としてεが変更されるように構成されたテーブル
である請求項１又は２に記載の光ディスク装置。
【請求項４】
εテーブル保持部が保持しているεテーブルは、
異なるεの値に応じて得られるオーバーライト回数対エラーレートグラフの交点に対応するオーバーライト回数を境としてεが変更されるように構成されたテーブル
である請求項１又は２に記載の光ディスク装置。
【請求項５】
オーバーライト回数対ジッタを複数のεに対して取得する特性取得部と、
所定のオーバーライト回数を実現できるεであって、オーバーライト回数対ジッタグラフの交点に対応するオーバーライト回数を境としてεが変更されるように構成されたテーブルを生成するεテーブル生成部と、
生成したεテーブルを請求項１又は２に記載の光ディスク装置のεテーブル保持部に書込むεテーブル書込部と、
を有する光ディスク装置の製造装置。
【請求項６】
オーバーライト回数対エラーレートを複数のεに対して取得する特性取得部と、
所定のオーバーライト回数を実現できるεであって、オーバーライト回数対エラーレートグラフの交点に対応するオーバーライト回数を境としてεが変更されるように構成されたテーブルを生成するεテーブル生成部と、
生成したεテーブルを請求項１又は２に記載の光ディスク装置のεテーブル保持部に書込むεテーブル書込部と、
を有する光ディスク装置の製造装置。
【請求項７】
オーバーライト回数に応じて記録パワーと消去パワーとの比であるεを定めたεテーブルを保持した光ディスク装置の動作方法であって、
オーバーライト回数を取得する回数取得ステップと、
回数取得ステップにより取得されたオーバーライト回数をキーとしてεテーブルからεを取得し、取得したεを利用して消去パワーを決定する消去パワー決定ステップと、
を有する光ディスク装置の動作方法。
【請求項８】
オーバーライト回数対ジッタを複数のεに対して取得する特性取得ステップと、
所定のオーバーライト回数を実現できるεであって、オーバーライト回数対ジッタグラフの交点に対応するオーバーライト回数を境としてεが変更されるように構成されたテーブルを生成するεテーブル生成ステップと、
生成したεテーブルを光ディスク装置に書込むεテーブル書込ステップと、
を有する光ディスク装置の製造方法。
【請求項９】
オーバーライト回数対エラーレートを複数のεに対して取得する特性取得ステップと、
所定のオーバーライト回数を実現できるεであって、オーバーライト回数対エラーレートグラフの交点に対応するオーバーライト回数を境としてεが変更されるように構成されたテーブルを生成するεテーブル生成ステップと、
生成したεテーブルを光ディスク装置に書込むεテーブル書込ステップと、
を有する光ディスク装置の製造方法。
【発明の詳細な説明】
【技術分野】
【０００１】
本発明は、光ディスクに対し情報を記録する光ディスク装置に関し、特にオーバーライト回数に応じて記録パワーと消去パワーの比であるεを変更する光ディスク装置に関する。
【背景技術】
【０００２】
ＤＶＤ−ＲＷ等の書換え可能な光ディスクに対しては、光ディスクの同一箇所に上書き記録（オーバーライト）を数千回行ってもデータを良好に再生できることが求められる。
【０００３】
これらの光ディスクに対してオーバーライトを行う際には、記録パワーと消去パワーを設定する必要がある。光ディスク装置では最適な記録パワーを得るために、光ディスクへ本記録する直前にディスク内に存在するテスト記録領域にてテスト記録（ＯＰＣ処理；Optimum Power Calibration）を行い、最適記録パワー値を決定する。また、消去パワーを決定するために、記録パワー値と消去パワー値との比であるεを利用する。具体的には、記録パワー値にεを乗じたパワー値、もしくは、記録パワー値をεで除したパワー値を消去パワー値とする。従来は、εを固定してＯＰＣ処理を行うため、記録パワーに関しては最適化できているが、記録パワーと同様に記録品位に影響を及ぼす消去パワーに関しては最適化できていなかった。
【０００４】
また適切な消去パワーを選択する方法として、特許文献１のように記録時に消し残し変調度等の信号品質を評価し消去パワーを制御する発明や、特許文献２のように消去パワーを所定量ずつ変化させて複数段階の消去パワーのレーザ光を連続的に照射して試し消去を行う発明がなされている。
【特許文献１】特開２００３−４５０３１号公報
【特許文献２】特開２００４−２７３０７４号公報
【発明の開示】
【発明が解決しようとする課題】
【０００５】
特許文献１や特許文献２に開示されている発明によれば、毎回の記録時に、より適切な消去パワーを選択することが可能であるが、それぞれ異なる光ディスク固有のオーバーライト特性に関しては考慮されていない。従って、オーバーライト特性が悪い光ディスクに対してこれらの方法を利用した場合、再生品位が初期状態で良好であっても、オーバーライト回数の増加に伴って劣化して最終的に必要なオーバーライト回数を確保できないケースがある。
【０００６】
また、記録パワーとは別に消去パワーを最適化する方法は、従来の方法に対して試書きの組合せが増加してＯＰＣの動作時間を増やすばかりか、ディスク内のテスト記録領域を余分に消費するという問題点がある。
【０００７】
本件発明はこの状況に鑑みてなされたものであり、各種光ディスク固有のオーバーライト特性を考慮した上で、必要十分なオーバーライト回数を確保できるεを設定する光ディスク装置及びその動作方法を提供することを課題とする。
【課題を解決するための手段】
【０００８】
そこで本発明においては、以下の構成によって、オーバーライト回数に応じて記録パワーと消去パワーの比であるεを変更する光ディスク装置及びその動作方法、光ディスク装置の製造装置及び製造方法を提案する。
【０００９】
第一の発明は、オーバーライト回数を取得する回数取得部と、オーバーライト回数に応じて記録パワーと消去パワーとの比であるεを定めたεテーブルを保持するεテーブル保持部と、回数取得部により取得されたオーバーライト回数をキーとしてεテーブルからεを取得し、取得したεを利用して消去パワーを決定する消去パワー決定部と、を有する光ディスク装置である。
【００１０】
第二の発明は、εテーブル保持部は、光ディスクの種別毎にεテーブルを保持するεテーブル種別毎保持手段を有する第一の発明に記載の光ディスク装置である。
【００１１】
第三の発明は、εテーブル保持部が保持しているεテーブルは、異なるεの値に応じて得られるオーバーライト回数対ジッタグラフの交点に対応するオーバーライト回数を境としてεが変更されるように構成されたテーブルである第一の発明又は第二の発明に記載の光ディスク装置である。
【００１２】
第四の発明は、εテーブル保持部が保持しているεテーブルは、異なるεの値に応じて得られるオーバーライト回数対エラーレートグラフの交点に対応するオーバーライト回数を境としてεが変更されるように構成されたテーブルである第一の発明又は第二の発明に記載の光ディスク装置である。
【００１３】
第五の発明は、オーバーライト回数対ジッタを複数のεに対して取得する特性取得部と、所定のオーバーライト回数を実現できるεであって、オーバーライト回数対ジッタグラフの交点に対応するオーバーライト回数を境としてεが変更されるように構成されたテーブルを生成するεテーブル生成部と、生成したεテーブルを第一の発明又は第二の発明に記載の光ディスク装置のεテーブル保持部に書込むεテーブル書込部と、を有する光ディスク装置の製造装置である。
【００１４】
第六の発明は、オーバーライト回数対エラーレートを複数のεに対して取得する特性取得部と、所定のオーバーライト回数を実現できるεであって、オーバーライト回数対エラーレートグラフの交点に対応するオーバーライト回数を境としてεが変更されるように構成されたテーブルを生成するεテーブル生成部と、生成したεテーブルを第一の発明又は第二の発明に記載の光ディスク装置のεテーブル保持部に書込むεテーブル書込部と、を有する光ディスク装置の製造装置である。
【００１５】
第七の発明は、オーバーライト回数に応じて記録パワーと消去パワーとの比であるεを定めたεテーブルを保持した光ディスク装置の動作方法であって、オーバーライト回数を取得する回数取得ステップと、回数取得ステップにより取得されたオーバーライト回数をキーとしてεテーブルからεを取得し、取得したεを利用して消去パワーを決定する消去パワー決定ステップと、を有する光ディスク装置の動作方法である。
【００１６】
第八の発明は、オーバーライト回数対ジッタを複数のεに対して取得する特性取得ステップと、所定のオーバーライト回数を実現できるεであって、オーバーライト回数対ジッタグラフの交点に対応するオーバーライト回数を境としてεが変更されるように構成されたテーブルを生成するεテーブル生成ステップと、生成したεテーブルを光ディスク装置に書込むεテーブル書込ステップと、を有する光ディスク装置の製造方法である。
【００１７】
第九の発明は、オーバーライト回数対エラーレートを複数のεに対して取得する特性取得ステップと、所定のオーバーライト回数を実現できるεであって、オーバーライト回数対エラーレートグラフの交点に対応するオーバーライト回数を境としてεが変更されるように構成されたテーブルを生成するεテーブル生成ステップと、生成したεテーブルを光ディスク装置に書込むεテーブル書込ステップと、を有する光ディスク装置の製造方法である。
【発明の効果】
【００１８】
本発明の光ディスク装置によれば、各種光ディスク固有のオーバーライト特性を反映し、オーバーライト回数に見合ったεの設定を行うことができ、オーバーライト回数が増加しても常に良好な記録品位を保ちつつ、必要十分なオーバーライト回数を最終的に確保することができる。また、各種光ディスクに対してオーバーライト回数に対するεの最適値を予め光ディスク装置に保持しているのでＯＰＣ動作時には記録パワーの最適化のみとなり、ＯＰＣ動作時間が増加することもない。
【発明を実施するための最良の形態】
【００１９】
以下に各発明を実施するための最良の形態を説明する。なお、本発明はこれら実施形態に何ら限定されるものではなく、その要旨を逸脱しない範囲において、種々なる態様で実施しうる。なお、以下の実施形態と請求項の関係は次の通りである。実施形態１は、主に請求項１、７などについて説明する。実施形態２は、主に請求項２などについて説明する。実施形態３は、主に請求項３、４などについて説明する。実施形態４は、主に請求項５、６、８、９などについて説明する。
<<実施形態１>>
【００２０】
<実施形態１：概要>本実施形態は、ＤＶＤ−ＲＷ等の書換え可能な光ディスクに対してオーバーライトを行う際に、そのオーバーライト回数に見合った、記録パワーと消去パワーとの比であるεを選択することを可能とする光ディスク装置及びその動作方法について説明する。
【００２１】
<実施形態１：光ディスク装置>図１は、本実施形態に係る光ディスク装置全体の概念図である。光ディスク装置において光ディスク（０１０１）へデータを記録及び再生する際には、スピンドルモータ（０１０３）が回転することで光ディスクを安定に回転させ、光ピックアップ（０１０２）からレーザ光が出力される。記録の際には、フォーカス制御機構（０１１１）やトラッキング制御機構（０１１２）により、ピックアップのフォーカシングやトラッキングといった光スポットの位置制御が行われる。また、再生の際には、光ピックアップ（０１０２）から出力されたレーザ光が、光ディスク（０１０１）で反射され、光ピックアップ（０１０２）に戻り、光ピックアップ内の光ディテクタによって取り込まれる。光ディテクタによって取り込まれた光は、ヘッドアンプ（０１０４）により演算増幅され、サーボ検出機構（０１０５）やＲＦ検出機構（０１０６）により検出が行われる。サーボ検出機構とフォーカス制御機構のフォーカスサーボ回路により焦点制御が行われフォーカスサーボがかかる。また、サーボ検出機構で検出されたトラッキング誤差信号とサーボ検出機構とトラッキング制御機構のトラッキングサーボ回路により、トラッキングサーボがかかる。また、ＲＦ検出機構により検出されたＲＦ信号はデコーダ（０１１２）により二値化され、コントローラ（０１０９）を介して再生信号データとして上位装置に出力される。
【００２２】
オーバーライトを行う際には、まず光ディスクのディスク管理領域からオーバーライト回数が取得され、取得したオーバーライト回数に見合ったεが取得される。そして、次に取得されたεによって記録パワーと消去パワーの比を一定に保ちながらＯＰＣ処理を実行する。このときＲＦ検出機構によりＲＦ信号が検出され、検出されたＲＦ信号が信号処理機構（０１０７）に出力され、アシンメトリ値等の特性値が算出される。そして算出された特性値がコントローラ（０１０９）に出力される。コントローラは特性値に基づいて最適記録パワーを決定する。このとき、εが定まっているので消去パワーも同時に決定される。決定された最適記録パワー値及び消去パワーは記憶領域（０１１３）に記憶される。
【００２３】
また、ＯＰＣ処理においてはεを利用せずに最適記録パワーのみを決定し、消去パワーは決定された最適記録パワー値にεを乗じたもの、あるいは、決定された最適記録パワー値をεで除したものとして算出しても良い。
【００２４】
そしてコントローラは、記憶領域に記憶された最適記録パワー値及び消去パワー値をドライバー（０１１０）に出力し、記録を行う際に光ピックアップが出力するレーザ光のパワーの設定を行う。
【００２５】
本実施形態における特徴的な機能をより詳細に説明するために、機能ブロック図を図２に示した。本実施形態に係る光ディスク装置は、「回数取得部」（０２０１）と、「εテーブル保持部」（０２０２）と、「消去パワー決定部」（０２０３）と、を有する。
【００２６】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図１２は一般的なコンピュータの構成を例示する図でありコンピュータが主にＣＰＵ（１２１０）、ＲＡＭ（１２２０）、ＲＯＭ（１２３０）、入出力インタフェース（Ｉ／Ｏ）（１２４０）、ハードディスク（ＨＤＤ）（１２５０）、等から構成されており、それらがシステムバス（１２６０）等のデータ通信経路によって相互に接続され、情報の送受信や処理を行う。本実施形態に係る光ディスク装置の構成要素である各部の一部又は全部は図１２と同様の構成にて実現可能である。（明細書の全体を通じて同様である。）
【００２７】
また、ＲＡＭ（１２２０）は、各種処理を行うプログラムをＣＰＵに実行させるために読み出すと同時にそのプログラムのワーク領域を提供する。光ディスク装置を起動させるとＨＤＤ（１２５０）等の記憶装置に保持されている各種プログラムがＲＡＭ（１２２０）に展開される。また、このＲＡＭ（１２２０）やＲＯＭ（１２３０）にはそれぞれ複数のメモリアドレスが割り当てられており、ＣＰＵ（１２２０）で実行されるプログラムは、そのメモリアドレスを特定しアクセスすることで相互にデータのやり取りを行い、処理を行うことが可能になっている。各部におけるコンピュータ処理の流れは、各部の説明の中に記載する。
【００２８】
「回数取得部」（０２０１）は、オーバーライト回数を取得する機能を有する。オーバーライト回数とは、光ディスク中の各領域について何度目のオーバーライトであるかを示すものである。同じ光ディスク内であっても、何度もオーバーライトがなされている領域やほとんどオーバーライトがなされていない領域が混在している場合がある。そこで、光ディスク中の各領域のオーバーライト回数を取得する必要がある。この光ディスクの各領域のオーバーライト回数は光ディスクのディスク管理領域から読取ることが可能である。図３に光ディスクのエリアレイアウトの一例を示した。光ディスクの内側にはディスク管理領域（０３０１）が存在し、外側にはデータ記録領域（０３０２）が存在する。そして、光ディスクの各領域（０３０３）はデータ記録領域（０３０２）の各領域のことであり、ＬＰＰ（ランドプリピット）やアドレスピットなどで特定することが可能である。
【００２９】
また、万一オーバーライト回数が読取れない場合には、読取れない領域に対して円周上の前後に位置する領域のオーバーライト回数を参照して、読取れない領域のオーバーライト回数を推測する手段を備えていても良い。
【００３０】
コンピュータ処理の流れとしては、ＣＰＵ（１２１０）がＲＡＭ（１２２０）のワーク領域にて回数取得プログラムを実行する。そして、取得した光ディスクの各領域のオーバーライト回数をＲＡＭ（１２２０）の記憶データ領域に格納、保持する。
【００３１】
「εテーブル保持部」（０２０２）は、オーバーライト回数に応じて記録パワーと消去パワーとの比であるεを定めたεテーブルを保持する機能を有する。εテーブルには図４に示したようにオーバーライト回数に対応するεがテーブルとして予め保持されている。このεテーブルにおいて、例えばオーバーライト回数が３００回であれば、ε＝０．４６を採用する。なお、図４に示したεは記録パワーに対する消去パワーの比であり、１以下の数値となる。また、εテーブルは関数として記憶されていても良い。
【００３２】
εテーブルに定められているεは、オーバーライト回数に対して最適なεである。オーバーライト回数が異なるとディスクの劣化具合なども異なり、それに見合ったεが存在する。そこで、オーバーライトを繰り返したときのジッタやエラーレートの変化を測定したオーバーライト特性のデータを予め測定しておき、ジッタやエラーレートが最も小さくなるεをオーバーライト回数に応じて決定する。このとき、所定のオーバーライト回数を実現できるεが選択される。コンピュータ処理の流れとしては、ＲＯＭ等のファームウェア中にオーバーライト回数に対応するεがεテーブルとして保持されている。
【００３３】
「消去パワー決定部」（０２０３）は、回数取得部により取得されたオーバーライト回数をキーとしてεテーブルからεを取得し、取得したεを利用して消去パワーを決定する機能を有する。オーバーライト回数に応じたεを取得することで光ディスクの劣化具合などのオーバーライト特性を考慮した消去パワーの設定が可能である。なお、図４に示したようなεテーブルを保持している場合には、消去パワーは記録パワー値にεを乗じた値として算出される。オーバーライト回数をキーとしてεテーブルから取得されたεをＯＰＣ処理によって算出された最適記録パワー値に乗じた値を消去パワーとしても良いし、オーバーライト回数をキーとしてεテーブルから取得されたεを利用してＯＰＣ処理を実行し、その結果、得られた最適記録パワー値及び消去パワー値を実際の記録に利用しても良い。
【００３４】
コンピュータ処理の流れとしては、ＣＰＵ（１２１０）がＲＡＭ（１２２０）のワーク領域にて消去パワー決定プログラムを実行する。そして、決定された消去パワーをＲＡＭ（１２２０）の記憶データ領域に格納、保持する。
【００３５】
<実施形態１：処理の流れ>図５は、本実施形態に係る光ディスク装置の動作方法における処理の流れを示すフロー図である。
【００３６】
最初に、ステップＳ０５０１においてオーバーライト回数を取得する。この処理は、主に回数取得部によって実行される。次にステップＳ０５０２において取得されたオーバーライト回数をキーとしてεテーブルからεを取得する。この処理は、主に消去パワー決定部によって実行される。次に、ステップＳ０５０３において、取得したεを利用して消去パワーを決定する。この処理は、主に消去パワー決定部によって実行される。
【００３７】
なお、図５のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００３８】
<実施形態１：効果>本実施形態に係る光ディスク装置及びその動作方法によれば、オーバーライト回数に見合ったεの設定を行うことができ、オーバーライト回数が増加しても常に良好な記録品位を保ちつつ、必要十分なオーバーライト回数を最終的に確保することができる。また、オーバーライト回数に対するεの最適値を予め光ディスク装置に保持しているのでＯＰＣ動作時には記録パワーの最適化のみとなり、ＯＰＣ動作時間が増加することもない。
<<実施形態２>>
【００３９】
<実施形態２：概要>本実施形態は、実施形態１を基本とし、オーバーライト回数に対応するεは光ディスクの種別毎に設定されている光ディスク装置及びその動作方法について説明する。
【００４０】
<実施形態２：光ディスク装置>本実施形態に係る光ディスク装置全体の概念図は図１と同様であるので説明は省略する。本実施形態における特徴的な機能をより詳細に説明するために、機能ブロック図を図６に示した。本実施形態に係る光ディスク装置は、「回数取得部」（０６０１）と、「εテーブル保持部」（０６０２）と、「消去パワー決定部」（０６０３）と、「εテーブル種別毎保持手段」（０６０４）と、を有する。
【００４１】
「回数取得部」（０６０１）と、「εテーブル保持部」（０６０２）と、は実施形態１と同様であるので、詳細な説明は省略する。
【００４２】
「εテーブル保持部」（０６０２）は、「εテーブル種別毎保持手段」（０６０４）を有する。「εテーブル種別毎保持手段」（０６０４）は、光ディスクの種別毎にεテーブルを保持する機能を有する。光ディスクの種別毎にそのオーバーライト特性が異なるため、光ディスクの種別毎にεテーブルを保持する。コンピュータ処理の流れとしては、ＲＯＭ等のファームウェア中に保持されているεテーブルにオーバーライト回数に対応するεが光ディスクの種別毎に保持されている。
【００４３】
「消去パワー決定部」（０６０３）は、光ディスクの種別と回数取得部により取得されたオーバーライト回数をキーとしてεテーブルからεを取得し、取得したεを利用して消去パワーを決定する機能を有する。光ディスクの種別は、光ディスクのディスク管理領域から読取ることが可能である。オーバーライト特性は光ディスクの種別によって大きく異なるものであり、光ディスクの光ディスクの種別を識別することで個々の光ディスクのオーバーライト特性を考慮した消去パワーを設定することが可能である。また、オーバーライト回数に応じたεを取得することで光ディスクの劣化具合などのオーバーライト特性を考慮した消去パワーの設定が可能である。なお、光ディスクの種別が読取れない場合に備えて、平均的な光ディスクに対するεテーブルを別途用意しておくことが望ましい。
【００４４】
コンピュータ処理の流れとしては、ＣＰＵ（１２１０）がＲＡＭ（１２２０）のワーク領域にて消去パワー決定プログラムを実行する。そして、決定された消去パワーをＲＡＭ（１２２０）の記憶データ領域に格納、保持する。
【００４５】
<実施形態２：処理の流れ>図７は、本実施形態に係る光ディスク装置の動作方法における処理の流れを示すフロー図である。
【００４６】
最初に、ステップＳ０７０１において光ディスクの種別を取得する。次に、ステップＳ０７０２においてオーバーライト回数を取得する。この処理は、主に回数取得部によって実行される。次にステップＳ０７０３において取得された光ディスクの種別とオーバーライト回数をキーとしてεテーブルからεを取得する。この処理は、主に消去パワー決定部によって実行される。次に、ステップＳ０７０４において、取得したεを利用して消去パワーを決定する。この処理は、主に消去パワー決定部によって実行される。
【００４７】
<実施形態２：効果>本実施形態に係る光ディスク装置及びその動作方法によれば、各種光ディスク固有のオーバーライト特性を反映し、オーバーライト回数に見合ったεの設定を行うことができ、オーバーライト回数が増加しても常に良好な記録品位を保ちつつ、必要十分なオーバーライト回数を最終的に確保することができる。また、各種光ディスクに対してオーバーライト回数に対するεの最適値を予め光ディスク装置に保持しているのでＯＰＣ動作時には記録パワーの最適化のみとなり、ＯＰＣ動作時間が増加することもない。
<<実施形態３>>
【００４８】
<実施形態３：概要>本実施形態は、実施形態１又は実施形態２を基本とし、異なるεの値に応じて得られるオーバーライト回数対ジッタグラフ又はオーバーライト回数対エラーレートグラフの交点に対応するオーバーライト回数を境としてεが変更されるように構成されたテーブルを持つ光ディスク装置及びその動作方法について説明する。
【００４９】
<実施形態３：構成>本実施形態に係る光ディスク装置全体の概念図は図１と同様であるので説明は省略する。また、機能ブロック図は図２又は図６と同様であるので説明は省略する。以下に、本実施形態において特徴的なεテーブルについて詳細に説明する。なお、本実施形態においては記録品質評価の指標としてジッタを使用する場合について説明をするが、エラーレートを使用する場合も全く同様の方法で実現可能である。
【００５０】
εテーブルは、εテーブル保持部に保持されており、異なるεの値に応じて得られるオーバーライト回数対ジッタグラフの交点に対応するオーバーライト回数を境としてεが変更されるように構成されたテーブルである。異なるεの値に応じて得られるオーバーライト回数対ジッタグラフとは、図８のようなグラフである。なお、図８は概念図である。εをε＝０．４、ε＝０．４４、ε＝０．５に固定してオーバーライトを繰り返したときのジッタの変化を示している。このグラフによれば、最初からα回（２１０回程度）まではε＝０．４４を使用したときが最もジッタが小さいことが分かる。また、α回（２１０回程度）からβ回（４３０回程度）まではε＝０．５を使用したときが最もジッタが小さく、β回（４３０回程度）以上ではε＝０．４を使用したときが最もジッタが小さいことが分かる。このように、予め、異なるεの値に対してオーバーライト回数対ジッタグラフを測定し、オーバーライト回数対ジッタグラフの交点に対応するオーバーライト回数を取得し、そのオーバーライト回数を境として最もジッタが小さくなるようなεを選択するようにεテーブルを作成する。作成されたεテーブルはεテーブル保持部に保持される。なお、交点に対応するオーバーライト回数とは、交点の値と必ずしも一致する必要はなく、その辺りのオーバーライト回数を境にするという意味である。例えば、交点に当たるオーバーライト回数から＋−１０％の誤差内で、切換オーバーライト回数を設計上定めれば良い。
【００５１】
さらに、交点に当たるオーバーライト回数から＋−１０％の範囲内でより適切な切換オーバーライト回数を決定する方法について図９を用いて説明する。なお、図９は概念図である。
【００５２】
まず、図８において最初の交点に当たるオーバーライト回数であるα回（２１０回とする）から＋−１０％にあたるオーバーライト回数（１８９回から２３１回）にてεをε＝０．４４からε＝０．５に切換える記録のテストを行う。そして、それぞれの場合において図８の２回目の交点に当たるオーバーライト回数であるβ回におけるジッタ値を測定する。この結果を表にしたものが図９の（１）であり、グラフに示したものが図９の（２）である。これによると、２２２回目、２２３回目、２２４回目に切換えたときが最もβ回目のジッタ値が小さくなることが分かる。そこで、ジッタ値が最も小さくなる切換オーバーライト回数の中で最もα回に近い、２２２回目を切換オーバーライト回数として採用する。なお、ここに示した切換オーバーライト回数の決定方法は一例であり、趣旨を逸脱しない範囲においてパラメータ等を任意に変更することが可能である。
【００５３】
つまり、図８に示したグラフを用いて算出される交点を切換オーバーライト回数の基準点とし、その周辺においてより最適な切換オーバーライト回数を設定することも可能である。予め、代表装置を用いて測定テストを行い、常に最良のジッタを得ることのできる切換オーバーライト回数やεを設定することが重要である。また、オーバーライト回数対ジッタグラフの測定は最終的に確保したいオーバーライト回数まで行うことが望ましい。
【００５４】
<実施形態３：効果>本実施形態に係る光ディスク装置及びその動作方法によれば、各種光ディスク固有のオーバーライト特性を反映し、オーバーライト回数に見合ったεの設定を行うことができ、オーバーライト回数が増加しても常に良好な記録品位を保ちつつ、必要十分なオーバーライト回数を最終的に確保することができる。また、各種光ディスクに対してオーバーライト回数に対するεの最適値を予め光ディスク装置に保持しているのでＯＰＣ動作時には記録パワーの最適化のみとなり、ＯＰＣ動作時間が増加することもない。さらに、よりジッタが小さくなる切換オーバーライト回数やεを明確かつ簡単に決定することができる。
<<実施形態４>>
【００５５】
<実施形態４：概要>本実施形態は、実施形態１から３に記載の光ディスク装置を製造する製造装置及び製造方法について説明する。
【００５６】
<実施形態４：光ディスク装置の製造装置>本実施形態に係る光ディスク装置の製造装置の機能ブロック図を図１０に示した。本実施形態に係る光ディスク装置の製造装置は、「特性取得部」（１００１）と、「εテーブル生成部」（１００２）と、「εテーブル書込部」（１００３）と、を有する。また、本実施形態に係る光ディスク装置は、「εテーブル保持部」（１００４）を有する。本実施形態に係る光ディスク装置の製造装置及び光ディスク装置の構成要素である各部の一部又は全部は図１２と同様の構成にて実現可能である。（明細書の全体を通じて同様である。）なお、本実施形態においては記録品質評価の指標としてジッタを使用する場合について説明をするが、エラーレートを使用する場合も全く同様の方法で実現可能である。また、「εテーブル保持部」（１００４）は実施形態１と同様であるので、詳細な説明は省略する。
【００５７】
「特性取得部」（１００１）は、オーバーライト回数対ジッタを複数のεに対して取得する機能を有する。図８に示したようなオーバーライト対ジッタグラフを複数のεに対して測定する。この測定は代表装置を用いて行われる。また、この測定は光ディスク装置にセットされることが予想される全ての各種光ディスクに対して行われても良い。コンピュータ処理の流れとしては、ＣＰＵ（１２１０）がＲＡＭ（１２２０）のワーク領域にて特性取得プログラムを実行する。そして、取得した各εに対するオーバーライト対ジッタ特性をＲＡＭ（１２２０）の記憶データ領域に格納、保持する。
【００５８】
「εテーブル生成部」（１００２）は、所定のオーバーライト回数を実現できるεであって、オーバーライト回数対ジッタグラフの交点に対応するオーバーライト回数を境としてεが変更されるように構成されたテーブルを生成する機能を有する。オーバーライト回数対ジッタグラフの交点に対応するオーバーライト回数とは、図８のα回やβ回である。交点に対応するオーバーライト回数に達するとよりジッタが小さくなるεへ変更されるようにεテーブルが構成されている。なお、交点に対応するオーバーライト回数とは、交点の値と必ずしも一致する必要はなく、その辺りのオーバーライト回数を境にするという意味である。実施形態３と同様に交点付近のオーバーライト回数で切換テストを行い、より適切な切換オーバーライト回数を決定しても良い。εテーブルに採用されるεは特性取得部によって取得された測定データにおいてジッタ値が最小となるεであり、かつ、所定のオーバーライト回数を実現できるものが選ばれる。予め、所定のオーバーライト回数にわたり測定テストを行うので、所定のオーバーライト回数が実現できるものを採用することが可能である。コンピュータ処理の流れとしては、ＣＰＵ（１２１０）がＲＡＭ（１２２０）のワーク領域にてεテーブル生成プログラムを実行する。生成されたεテーブルをＲＡＭ（１２２０）の記憶データ領域に格納、保持する。
【００５９】
「εテーブル書込部」（１００３）は、生成したεテーブルを光ディスク装置のεテーブル保持部に書込む機能を有する。εテーブル生成部によって生成されたεテーブルは、個々の光ディスク装置のεテーブル保持部（１００４）に書込まれる。コンピュータ処理の流れとしては、ＣＰＵ（１２１０）がＲＡＭ（１２２０）のワーク領域にてεテーブル書込プログラムを実行する。これにより、εテーブルが光ディスク装置のＲＯＭ等のファームウェア中に格納、保持される。
【００６０】
<実施形態４：処理の流れ>図１１は、本実施形態に係る光ディスク装置製造方法における処理の流れを示すフロー図である。
【００６１】
最初に、ステップＳ１１０１において複数のεに対するオーバーライト回数対ジッタ特性を取得する。この処理は、主に特性取得部によって実行される。次に、ステップＳ１１０２においてεテーブルを生成する。この処理は、主にεテーブル生成部によって実行される。次にステップＳ１１０３において生成されたεテーブルをεテーブル保持部に書込む。この処理は、主にεテーブル書込部によって実行する。
【００６２】
<実施形態４：効果>本実施形態に係る光ディスク装置の製造装置及び製造方法によれば、オーバーライト回数に見合ったεの設定を行うことができ、オーバーライト回数が増加しても常に良好な記録品位を保ちつつ、必要十分なオーバーライト回数を最終的に確保することができるようなεテーブルを生成し、個々の光ディスク装置に書込むことが可能である。また、当該εテーブルを保持する光ディスク装置は、オーバーライト回数に対するεの最適値を予め保持しているのでＯＰＣ動作時には記録パワーの最適化のみとなり、ＯＰＣ動作時間が増加することもない。さらに、よりジッタが小さくなる切換オーバーライト回数やεを明確かつ簡単に決定することができる。
【図面の簡単な説明】
【００６３】
【図１】実施形態１に係る光ディスク装置全体の概念図
【図２】実施形態１に係る機能ブロック図
【図３】光ディスクのエリアレイアウトの一例
【図４】εテーブルの一例
【図５】実施形態１に係る処理フロー図
【図６】実施形態２に係る機能ブロック図
【図７】実施形態２に係る処理フロー図
【図８】オーバーライト回数対ジッタグラフの概念図
【図９】切換オーバーライト回数を決定する方法を説明する図
【図１０】実施形態３に係る機能ブロック図
【図１１】実施形態３に係る処理フロー図
【図１２】一般的なコンピュータの構成の一例図
【符号の説明】
【００６４】
０１０１  光ディスク
０１０２  光ピックアップ
０１０３  スピンドルモータ
０１０４  ヘッドアンプ
０１０５  サーボ検出機構
０１０６  ＲＦ検出機構
０１０７  信号処理機構
０１０８  デコーダ
０１０９  コントローラ
０１１０  ドライバー
０１１１  フォーカス制御機構
０１１２  トラッキング制御機構
０１１３  記憶領域
【図１】
2008243343.tif 000003
【図２】
2008243343.tif 000004
【図３】
2008243343.tif 000005
【図４】
2008243343.tif 000006
【図５】
2008243343.tif 000007
【図６】
2008243343.tif 000008
【図７】
2008243343.tif 000009
【図８】
2008243343.tif 000010
【図９】
2008243343.tif 000011
【図１０】
2008243343.tif 000012
【図１１】
2008243343.tif 000013
【図１２】
2008243343.tif 000014